(57)【要約】【課題】一般のノートタイプもしくは手帳タイプ等のような薄型タイプとすることで携帯性の向上したコインケースとする。【解決手段】複数のコイン保持穴５を備えたコインホルダー板２と、コインホルダー板２の一端縁側にヒンジ機構９を介して回動自在に連結して成る蓋板３と、蓋板３の閉じた状態をロックするロック機構４とを備える。ヒンジ機構９には、蓋板３をコインホルダー板２に対して開き方向に付勢する発条体１４を備え、ロック機構４は、蓋板３側に配したスライド部材２２と、スライド部材２２を前進方向に付勢する発条体２６と、スライド部材２２の退避位置で係架片２４が挿通可能となるようコインホルダー板２に設けた挿通孔部２７と、挿通孔部２７に挿通している係架片２４を係止固定するよう前記挿通孔部２７内に設けた係合段部２８とを備える。【選択図】図１
2007252761.tif 000002
【特許請求の範囲】
【請求項１】
複数のコイン保持穴を備えたコインホルダー板と、該コインホルダー板の前記コイン保持穴側面を塞ぐよう当該コインホルダー板の一端縁側にヒンジ機構を介して回動自在に連結されて成る蓋板と、コインホルダー板側への蓋板の閉じた状態をロックするよう両板相互の開放縁側に設けられたロック機構とを備えて成ることを特徴としたコインストッカー。
【請求項２】
蓋板とコインホルダー板との間に挟持配置されるよう前記ヒンジ機構を介して回動自在に連結されて成る単数もしくは複数の中間コインホルダー板を備えた請求項１記載のコインストッカー。
【請求項３】
ヒンジ機構には、蓋板をコインホルダー板に対して開き方向に付勢する発条体を備えた請求項１または２記載のコインストッカー。
【請求項４】
ロック機構は、蓋板側に配したスライド進退可能なスライド部材と、該スライド部材の一端に連結片を介して一体突設した係架片と、スライド部材を前進方向に付勢する発条体と、該発条体の付勢力に抗してのスライド部材の退避位置で前記係架片が挿通可能となるようコインホルダー板に設けられた挿通孔部と、発条体の付勢力に任せて当該スライド部材を前進させることで、挿通孔部に挿通されている係架片を係止固定させるよう前記挿通孔部内に設けられた係合段部とを備えた請求項１乃至３のいずれか記載のコインストッカー。
【請求項５】
前記スライド部材の連結片は、中間コインホルダー板の開放縁側に設けた挿通孔部を挿通可能とした請求項４記載のコインストッカー。
【請求項６】
コインホルダー板には、ネックストラップを着脱自在に取り付け可能とする吊下げ孔部を備えた請求項１乃至５のいずれかに記載のコインストッカー。
【発明の詳細な説明】
【技術分野】
【０００１】
本発明は、複数のコインを収納して携帯可能としたノートタイプもしくは手帳タイプのコインストッカーに関する。
【背景技術】
【０００２】
従来では様々なタイプのコインケースが提案されている。
例えば、特許文献１に開示されているように、細長箱状のケースを仕切板により前側と後側の空間部を形成し、且つ前後それぞれの空間部を側壁によって複数組の収納部とし、前側および後側の各収納部にコインを重合状に収納自在として成るコインケースがある。
【０００３】
また、特許文献２に開示されているように、同種のコインをバネ力に抗して厚み方向に重ね合わせて収納するための円筒形空間部がその軸を横方向にして複数個並設され、手動操作によりコインを一枚づつ放出ゲートから放出させるバイク車両取付型のコインケースがある。
【０００４】
さらに、特許文献３に開示されているように、複数枚のコインを略コ字枠状のカバー内に収納させ、カバー内でコインの片側は保持穴で係合保持され、コインの反対側はバネ作動部で単独で押えられ、上側開口部から一枚のコインを軽く親指で押えてカバーからスライドさせて取り出す１円玉用のコインケースがある。
【０００５】
さらにまた、特許文献４に開示されているように、円形端面板の周縁から、先端に係止部を有する円弧板片状の挟持片を対向突出させ、円形端面板の挟持片間に係止受部を形成して成るコイン収納可能とした同構造一対の構成体を形成し、一方の構成体の挟持片を他方の構成体の円形端面板の係止受部に係止させることで両構成体を噛合して成るコインケースがある。
【特許文献１】特開平８−１００２１号公報
【特許文献２】特開平９−２９４６１７号公報
【特許文献３】特開２００２−７８５１８号公報
【特許文献４】実開平６−６５９７３号公報
【発明の開示】
【発明が解決しようとする課題】
【０００６】
しかしながら、これら従来例によると、コインケース自体が袋状タイプ、筒状タイプ、箱状タイプのものが殆どであって、薄型で携帯性のあるノートタイプもしくは手帳タイプのものが存在しない。
【０００７】
しかも、従来のコインケースは、複数のコインが重合状に収納されていてコインの残数が外部から見えないため、携帯中にコインの使用可能枚数があとどのくらいあるかが簡単には認知できない。
【０００８】
そこで、本発明は、叙上のような従来存した諸事情に鑑み創出されたもので、一般のノートタイプもしくは手帳タイプ等のような薄型タイプとすることで携帯性の向上したコインケースとすることができ、また首に吊り下げたままでもワンタッチで簡単にコインが取り出せるようにし、しかも携帯中にコインの使用可能枚数があとどのくらいあるかが手帳やノートを開くようにして容易に認知できるようにしたコインストッカーを提供することを目的とする。
【課題を解決するための手段】
【０００９】
上述した課題を解決するため、本発明にあっては、複数のコイン保持穴を備えたコインホルダー板と、該コインホルダー板の前記コイン保持穴側面を塞ぐよう当該コインホルダー板の一端縁側にヒンジ機構を介して回動自在に連結されて成る蓋板と、コインホルダー板側への蓋板の閉じた状態をロックするよう両板相互の開放縁側に設けられたロック機構とを備えて成ることを特徴としている。
【００１０】
上記構成において、蓋板とコインホルダー板との間に挟持配置されるよう前記ヒンジ機構を介して回動自在に連結されて成る単数もしくは複数の中間コインホルダー板を備えたものとすることができる。
【００１１】
ヒンジ機構には、蓋板をコインホルダー板に対して開き方向に付勢する発条体を備えたものとすることができる。
【００１２】
ロック機構は、蓋板側に配したスライド進退可能なスライド部材と、該スライド部材の一端に連結片を介して一体突設した係架片と、スライド部材を前進方向に付勢する発条体と、該発条体の付勢力に抗してのスライド部材の退避位置で前記係架片が挿通可能となるようコインホルダー板に設けられた挿通孔部と、発条体の付勢力に任せて当該スライド部材を前進させることで、挿通孔部に挿通されている係架片を係止固定させるよう前記挿通孔部内に設けられた係合段部とを備えたものとすることができる。
【００１３】
前記スライド部材の連結片は、中間コインホルダー板の開放縁側に設けた挿通孔部を挿通可能としたものとすることができる。
【００１４】
コインホルダー板には、ネックストラップを着脱自在に取り付け可能とする吊下げ孔部を備えたものとすることができる。
【発明の効果】
【００１５】
本発明によれば、一般のノートタイプもしくは手帳タイプ等のような薄型タイプとすることで携帯性の向上したコインケースとすることができ、また、首に吊り下げたままでもワンタッチで簡単にコインが取り出せるようにし、しかも携帯中にコインの使用可能枚数があとどのくらいあるかが手帳やノートを開くようにして容易に認知できる。
【００１６】
すなわち、これは本発明が、複数のコイン保持穴を備えたコインホルダー板と、該コインホルダー板の前記コイン保持穴側面を塞ぐよう当該コインホルダー板の一端縁側にヒンジ機構を介して回動自在に連結されて成る蓋板と、コインホルダー板側への蓋板の閉じた状態をロックするよう両板相互の開放縁側に設けられたロック機構とを備えて成るからであり、これにより、薄型タイプの携帯性の向上したコインストッカーを容易に形成することができる。しかもロック機構を解放させることによって蓋板を手帳やノートのように開くことでコインホルダー板のコイン保持穴側面全体が露見するため携帯中にコインの使用可能枚数があとどのくらいあるかが容易に認知できる。
【００１７】
蓋板とコインホルダー板との間に挟持配置されるよう前記ヒンジ機構を介して回動自在に連結されて成る単数もしくは複数の中間コインホルダー板を備えたので、コイン全体の収容枚数を増やすことができ、またコインホルダー板、中間コインホルダー板それぞれに対し、例えばコインホルダー板には５００円玉、中間コインホルダー板には１００円玉というようにコインホルダー板、中間コインホルダー板それぞれに対し互いに異なる金額のコインを収納しておくことができる。
【００１８】
ヒンジ機構には、蓋板をコインホルダー板に対して開き方向に付勢する発条体を備えたので、ロック機構を解放させると同時に蓋体をスムーズに開くことができる。
【００１９】
ロック機構は、蓋板側に配したスライド進退可能なスライド部材と、該スライド部材の一端に連結片を介して一体突設した係架片と、スライド部材を前進方向に付勢する発条体と、該発条体の付勢力に抗してのスライド部材の退避位置で前記係架片が挿通可能となるようコインホルダー板に設けられた挿通孔部と、発条体の付勢力に任せて当該スライド部材を前進させることで、挿通孔部に挿通されている係架片を係止固定させるよう前記挿通孔部内に設けられた係合段部とを備えたので、簡単な構成でしかも低コストでもって蓋板を開閉可能とするロック機構を備えたコインストッカーを容易に形成することができる。
【００２０】
前記スライド部材の連結片は、中間コインホルダー板の開放縁側に設けた挿通孔部を挿通可能としたので、ロック機構による蓋板のロック状態において、蓋板とコインホルダー板との間での中間コインホルダー板の挟持固定がしっかりとしたものとなる。
【００２１】
コインホルダー板には、ネックストラップを着脱自在に取り付け可能とする吊下げ孔部を備えたので、ネックストラップを首に吊り下げておくことでコインストッカーを紛失させる虞れが無くなり、しかもコインストッカーを首に吊り下げたままでワンタッチで簡単にコインを取り出すことができる。
【発明を実施するための最良の形態】
【００２２】
以下、図面を参照して本発明を実施するための最良の一形態を説明する。
図において示される符号１は、例えば、一般の手帳サイズもしくはノートサイズに形成されたコインストッカーであり、該コインストッカー１は、図１に示すように、複数のコイン保持穴５を備えたコインホルダー板２と、コイン保持穴５側面を塞ぐようにヒンジ機構９を介して閉じられる蓋板３と、コインホルダー板２側への蓋板３の閉じた状態をロックするよう両板２、３相互の開放縁側に設けられたロック機構４とを備えて構成されている。
【００２３】
コインホルダー板２は、表面側でコインＰとして例えば１００円玉６個を３個ずつ縦２列に装着できるようにコインＰ径に合わせた口径を有する円形状の６個のコイン保持穴５を凹設し、また、各コイン保持穴５の内周面には、装着されるコインＰをパッチン止めのように嵌合保持させるための内径方向に突出した複数のヒダ状の爪片部６が形成されている。そして、裏面側からコインＰを指先で押し出せるようコインＰ径よりも小さく且つ指先が入る程度の口径を有する円形状のコイン押出穴７を各コイン保持穴５に同芯状に対応して穿設してある。また、コインホルダー板２の上端側面には、首に吊り下げ可能なネックストラップＳを着脱自在に取り付けるための吊下げ孔部８を備えている。
【００２４】
ヒンジ機構９は、図１および図２に示すように、コインホルダー板２の一端縁側における上下対称位置にそれぞれ一対にして突設した合計４つの突起１０と、これに対応して蓋板３の一端縁側における上下対称位置に突設した合計２つの突起１１とのそれぞれに軸孔１２が穿設されている。また、コインホルダー板２の上側の両突起１０間および下側の両突起１０間に、蓋板３の上下の各突起１１がそれぞれ軸孔１２を合致させた状態で組み込まれ、上側の各突起１０、１１および下側の各突起１０、１１それぞれの軸孔１２にはヒンジ棒１３を嵌挿させてある。これにより、コインホルダー板２のコイン保持穴５側面を塞ぐ方向に蓋板３がヒンジ機構９を介して回動自在に軸支される。
【００２５】
また、このコインホルダー板２の上側および下側における各２つの突起１０同士の間隔は、蓋板３の突起１１の縦幅よりも若干大きくすることでヒンジ棒１３が露出した状態となっており、この露出したヒンジ棒１３には、発条体１４としての例えば弦巻バネ等のコイル部分を巻装させ、弦巻バネの一端をコインホルダー板２面に係止させ、弦巻バネの他端を蓋板３面に係止させることによって、蓋板３をコインホルダー板２に対して開き方向に付勢されたものとしてある。
【００２６】
ロック機構４の具体的な構成は、図３に示すように、蓋板３の開放縁側に穿設した上下に長いガイド孔２１に沿ってスライド部材２２がスライド可能となるように取り付けられ、該スライド部材２２の下端にはＬ字状に折り曲げられた水平な連結片２３が形成され、該連結片２３の先端には下方に向けてＬ字状に折り曲げられた係架片２４が一体形成されている。
【００２７】
そして、ガイド孔２１は、蓋板３裏面において中間当たりまで塞がって閉塞部２５が設けられ、この閉塞部２５とスライド部材２２とによって囲まれた空間部に形成される。そして、この空間部（ガイド孔２１）には、発条体２６として例えばコイルスプリングが縦向きとなって介挿されており、該コイルスプリングの上端はガイド孔２１の上側内面に当接され、コイルスプリングの下端は連結片２３の内側に当接されることで、スライド部材２２自体を下方向に常時付勢させるものとしてある。
【００２８】
また、蓋板３のガイド孔２１の開口部分に対向してコインホルダー板２には挿通孔部２７が穿設されており、発条体２６の付勢力に抗してのスライド部材２２の上方向への退避位置で前記係架片２４が挿通孔部２７に挿通あるいは脱出可能となるようにしてある。
【００２９】
さらに、挿通孔部２７内における下側中間部分には係合段部２８が形成されており、発条体２６の付勢力に任せて当該スライド部材２２を下方向に前進させることで、挿通孔部２７に挿通されている係架片２４が係合段部２８に係架されることで、コインホルダー板２側に閉じられた蓋板３がロックされるようにしてある。
【００３０】
次に、以上のように構成された最良の形態についての使用、動作の一例について説明する。
先ず、コインホルダー板２の吊下げ孔部８にネックストラップＳが取り付けられる。図３（ａ）および図３（ｂ）に示すように、蓋板３がコインホルダー板２側に閉じられて当該蓋板３がロック機構４によってロックされている状態から、発条体２６の付勢力に抗してスライド部材２２を上方向へ退避させると、図３（ｃ）および図３（ｄ）に示すように、係架片２４が挿通孔部２７の係合段部２８から外れ、図１に示すように、蓋板３はヒンジ機構９の発条体１４による付勢力によってコインホルダー板２に対し開き方向に回動する。
【００３１】
そして、コインＰの収納に際し、コインホルダー板２のコイン保持穴５にコインＰを嵌め込むと爪片部６によって当該コインＰは保持される。また、コイン保持穴５からコインＰを取り出すときには、コインホルダー板２裏側のコイン押出穴７に指先を押し込むことでコインＰが抜き外される。
【００３２】
一方、蓋板３をコインホルダー板２側に閉じてロックする場合には、ロック機構４のスライド部材２２を発条体２６の付勢力に抗して上方向へ退避させた状態を維持しながら、蓋板３をヒンジ機構９の発条体１４による付勢力に抗してコインホルダー板２側に閉じる方向に回動させる。このとき、ロック機構４の係架片２４はコインホルダー板２の挿通孔部２７に挿通され、スライド部材２２を解放させることで当該スライド部材２２は発条体２６の付勢力に任せて下方向へ復帰前進し、係架片２４が係合段部２８に係架される。こうしてコインホルダー板２側に閉じられた蓋板３がロックされる。そして、ネックストラップＳを首に掛ける等して携帯すれば良い。
【００３３】
また、図４以下にはコインストッカー１の他の構成が示されている。
本構成では、１枚の中間コインホルダー板３１を前記ヒンジ機構９を介して回動自在に連結することで、該中間コインホルダー板３１を蓋板３とコインホルダー板２との間に挟持配置されるようにしてある。
【００３４】
すなわち、図４に示すように、コインホルダー板２の一端縁側における上下位置に突設した合計２つの突起１０と、この突起１０に対して若干ずれた蓋板３の一端縁側における上下位置に突設した合計２つの突起１１とのそれぞれに軸孔１２が穿設され、コインホルダー板２の上側（下側）の突起１０と蓋板３の上側（下側）の突起１１とのそれぞれ軸孔１２が合致された状態で各突起１０、１１それぞれの軸孔１２にヒンジ棒１３を嵌挿させることでヒンジ機構９が形成され、コインホルダー板２のコイン保持穴５側面を塞ぐ方向に蓋板３がヒンジ機構９を介して回動自在となるようにする。
【００３５】
そして、コインホルダー板２の上側（下側）の突起１０と蓋板３の上側（下側）の突起１１との間のヒンジ棒１３に、中間コインホルダー板３１の一端縁側における上下位置に突設した合計２つの突起３２の上側（下側）の突起３２の軸孔３３を嵌装させると共に、中間コインホルダー板３１の突起３２とコインホルダー板２の突起１０との間で露出しているヒンジ棒１３に、発条体１４としての例えば弦巻バネ等のコイル部分を巻装させ、弦巻バネの一端をコインホルダー板２面に係止させ、弦巻バネの他端を蓋板３面に係止させることによって、蓋板３をコインホルダー板２に対して開き方向に付勢されるものとしてある。このとき、中間コインホルダー板３１は、コインホルダー板２と蓋板３とが互いに開いた状態では、両板２、３間で自由に回動できるようにしてある。
【００３６】
また、図６に示すように、中間コインホルダー板３１の開放縁側には、ロック機構４の位置に対応して挿通孔部３４が穿設され、さらにスライド部材２２の連結片２３は、ロック機構４のスライド部材２２を発条体２６の付勢力に抗して上方向へ退避させた状態を維持しながらコインホルダー板２と蓋板３とが互いに閉じた際に、この中間コインホルダー板３１の挿通孔部３４を挿通可能となるように当該連結片２３を若干長目に形成してある。ちなみに、コインホルダー板２のコイン挿脱機構およびロック機構４のスライド部材２２による蓋板３のロック乃至ロック解除機構は前記した実施の形態と同様である。
【００３７】
このようにコインホルダー板２と蓋板３との間に中間コインホルダー板３１を設けることで、例えばコインホルダー板２には５００円玉、中間コインホルダー板３１には１００円玉というようにコインホルダー板２、中間コインホルダー板３１それぞれに対し互いに異なる金額のコインＰを収納しておくことができる等のバリエーションが可能となる。
【００３８】
尚、１枚の中間コインホルダー板３１とする替わりに、蓋板３とコインホルダー板２との間に２枚以上の中間コインホルダー板３１を挟持配置させるようにすることで、コインストッカー１全体を厚みのある冊子状に形成しても良い。
【図面の簡単な説明】
【００３９】
【図１】本発明を実施するための最良の形態におけるコインストッカーのコインホルダー板から蓋板が開いた状態の斜視図である。
【図２】同じくコインストッカーにコインを収納して蓋板を閉塞ロックした状態を示し、（ａ）は正面図、（ｂ）は側面図である。
【図３】同じくロック機構の動作を説明するもので、（ａ）は図２におけるロック機構の表面側（蓋板側）から見た拡大図、（ｂ）は（ａ）におけるロック状態のＸ−Ｘ断面図、（ｃ）は（ａ）におけるロック解除状態のＸ−Ｘ断面図、（ｄ）は図２におけるロック機構の裏面側（コインホルダー板側）から見た拡大図である。
【図４】本形態におけるコインストッカーの他例を示し、コインホルダー板から蓋板が開いた状態の斜視図である。
【図５】同じくコインホルダー板側に蓋板が閉じてロックされた状態のコインストッカーの側面図である。
【図６】同じくロック機構のロック状態を説明する拡大断面図である。
【符号の説明】
【００４０】
Ｐ          コイン
Ｓ          ネックストラップ
１          コインストッカー
２          コインホルダー板
３          蓋板
４          ロック機構
５          コイン保持穴
６          爪片部
７          コイン押出穴
８          吊下げ孔部
９          ヒンジ機構
１０、１１  突起
１２        軸孔
１３        ヒンジ棒
１４        発条体
２１        ガイド孔
２２        スライド部材
２３        連結片
２４        係架片
２５        閉塞部
２６        発条体
２７        挿通孔部
２８        係合段部
３１        中間コインホルダー板
３２        突起
３３        軸孔
３４        挿通孔部
【図１】
2007252761.tif 000003
【図２】
2007252761.tif 000004
【図３】
2007252761.tif 000005
【図４】
2007252761.tif 000006
【図５】
2007252761.tif 000007
【図６】
2007252761.tif 000008